(57)【要約】  本発明は、キャップ本体の製作費が高くなるのを防止するとともに、水密性が向上した飲料容器用の水素封入キャップを提供する。  水素封入キャップ（３）は、飲料容器口（１ａ）の雄ねじ部（１ｂ）と嵌合する雌ねじ部（１２）を設けたキャップ筒体（１０）と、キャップ筒体（１０）の内部に収容された水素封入袋（３０）と、水素封入袋（３０）を上方から圧潰する押圧部材（２０）と、キャップ筒体（１０）の下部で、雌ねじ部（１２）よりも上方に設けられた下方規制板（１３）とを備え、下方規制板（１３）に、飲料容器口（１ａ）の上端面に接する水密片（１４）が設けられるとともに、水素封入袋（３０）から放出された水素の通過孔（１５）が設けられている。
2014163007.tif 000002
【特許請求の範囲】
【請求項１】
飲料容器口の雄ねじ部と嵌合する雌ねじ部を設けたキャップ筒体と、  前記キャップ筒体の内部に収容された水素封入袋と、  前記水素封入袋を上方から圧潰する押圧部材と、  前記キャップ筒体の下部で、前記雌ねじ部よりも上に設けられた下方規制板とを備え、  前記下方規制板に、前記飲料容器口の上端面に接する水密片を設けるととともに、前記水素封入袋から放出された水素の通過孔を設けたことを特徴とする飲料容器用の水素封入キャップ。
【請求項２】
前記通過孔が、前記下方規制板の中央に設けられ、前記下方規制板が前記通過孔に向かって下方に傾斜するように構成されていることを特徴とする請求項１に記載の飲料容器用の水素封入キャップ。
【請求項３】
前記下方規制板の上面に前記水素封入袋に貫通可能な突起が設けられていることを特徴とする請求項１または２に記載の飲料容器用の水素封入キャップ。
【請求項４】
前記押圧部材の外周面に、前記外周面と同心状に内部リブが設けられ、前記内部リブに、下方に向けて、前記水素封入袋の貫通可能な突起が設けられていることを特徴とする請求項１または２に記載の飲料容器用の水素封入キャップ。
【請求項５】
さらに、前記キャップ筒体の上端部に接続し、前記押圧部材の外表面を覆う帯状部材を備え、前記帯状部材と前記キャップ筒体の上端部との間の接続部が他の部分に比して、強度が低くなるように構成されたことを特徴とする請求項１ないし４のいずれか１項に記載の飲料容器用の水素封入キャップ。
【請求項６】
前記帯状部材と前記キャップ筒体の上端部との間の接続部が肉薄部によって構成されたことを特徴とする請求項５に記載の飲料容器の水素封入キャップ。
【請求項７】
請求項１ないし請求項６のいずれか１項に記載の水素封入キャップで封止した飲料容器を用いた飲料水。
【発明の詳細な説明】
【技術分野】
【０００１】  本発明は、ペットボトルなどの飲料容器用のキャップに関するものであり、とくに、内部に水素が封入された飲料容器用の水素封入キャップに関するものである。
【背景技術】
【０００２】  現在、水、お茶、ジュースなど（以下、総称して、「飲料水」という。）に、高濃度の水素を溶存させた飲料水が、様々な形で提供されている。この水素を溶存させた飲料水は、健康に害をもたらす活性酸素を還元して、消滅させる効果を有すると考えられている。この飲料水の提供は、直接水素を封入した飲料水をアルミ缶などに入れて販売する方法や、特許文献１に記載されているように、ペットボトルのキャップ内部に水素を封入したものを販売する方法により行われている。【０００３】  特許文献１に記載された方法においては、消費者自身が、飲料水を摂取する前にキャップに封入された水素を飲料水に溶け込ませてから、飲料水を摂取するように構成されている。【０００４】  一方、前者の方法は、飲料水メーカが飲料水に水素を溶け込ませるものであるので、消費者に飲料水が届くまでに長時間を要し、したがって、飲料水の容器として、水素が透過可能なペットボトルを使用することができず、飲料水容器のコストが高くなるという問題があり、また、消費者が内部の飲料水について選択の幅を広げることができないという問題がある。【０００５】  これに対し、特許文献１に記載された方法においては、飲料水の消費者が、市販のペットボトルに入っている飲料水に水素を溶け込ませることができ、飲料水メーカが特別な飲料容器を用いる必要がないから、飲料水容器自体のコストアップを抑えることができるとともに、様々な既存の飲料水に水素を溶解させることができ、消費者が飲料水選択の幅を狭めることがない。
【先行技術文献】
【特許文献】
【０００６】
【特許文献１】登録実用新案第３１５６６７４号公報
【発明の概要】
【発明が解決しようとする課題】
【０００７】  しかしながら、特許文献１に記載の飲料容器のキャップは、キャップ本体に水素を封入する必要があり、長期にわたってキャップ本体の気密性を確保するためには、キャップ本体の製作費が高くなるという問題がある。【０００８】  また、水素を封入したキャップ側に水密性を確保するためのパッキング部材がない場合には、水素を溶解させるために飲料容器を振ると、容器の中の飲料水が漏れ出るという問題もあった。【０００９】  したがって、本発明は、キャップ本体の製作費が高くなるのを防止することができるとともに、水密性が向上させることができる飲料容器用の水素封入キャップを提供することを目的とするものである。【００１０】  本発明の他の目的は、キャップ本体の製作費が高くなるのを防止することができるとともに、水密性が向上させることができる水素封入キャップが取り付けられた飲料容器内に収容された飲料水を提供することにある。
【課題を解決するための手段】
【００１１】  本発明のかかる目的は、  飲料容器口の雄ねじ部と嵌合する雌ねじ部を設けたキャップ筒体と、  前記キャップ筒体の内部に収容された水素封入袋と、  前記水素封入袋を上方から圧潰する押圧部材と、  前記キャップ筒体の下部で、前記雌ねじ部よりも上に設けられた下方規制板とを備え、  前記下方規制板に、前記飲料容器口の上端面に接する水密片を設けるととともに、  前記水素封入袋から放出された水素の通過孔を設けたことを特徴とする飲料容器用の水素封入キャップによって達成される。【００１２】  本発明によれば、キャップ筒体の内部に水素封入袋を収容させることによって、キャップ筒体に気体透過を防止する加工を行ったり、気体透過をしない材料でキャップ筒体を作ったりする必要がなくなり、水素封入キャップの製造コストを抑えることができる。【００１３】  また、本発明によれば、水素封入キャップが、水素封入袋を上方から圧潰する押圧部材を備えることにより、飲料容器のねじを用いて押圧したり、キャップ筒体を変形して、押圧したりする必要がなくなり、適切に水素封入袋を押圧することができる。【００１４】  さらに、本発明によれば、下方規制板に、飲料容器口の上端面に接する水密片を設けているから、ねじによりキャップ筒体の内部と外部とが遮断され、キャップ筒体の内部が水密状態になり、したがって、水素を溶解させるために、消費者が飲料容器１をひっくり返したり、振ったりしても内部の飲料水が外部に漏れ出ることを効果的に防止することができる。【００１５】  本発明の好ましい実施態様においては、前記通過孔が、前記下方規制板の中央に設けられ、前記下方規制板が前記通過孔に向かって下方に傾斜するように構成されている。【００１６】  この本発明の好ましい実施態様によれば、下方規制板が、その中央に設けた通過孔に向かって、下方に傾斜するように構成されているから、消費者が飲料容器をひっくり返した際に、水素封入キャップ側に入った飲料水を飲料容器側によどみなく戻すことが可能になる。【００１７】  本発明の好ましい実施態様においては、前記下方規制板の上面に前記水素封入袋に貫通可能な突起が設けられている。【００１８】  この本発明の好ましい実施態様によれば、下方規制板の上面に水素封入袋に貫通可能な突起が設けられているから、消費者は押圧部材を軽く押圧するだけで水素封入袋に穿孔することができ、したがって、より容易に水素封入キャップから、飲料水に向けて、水素を放出させることが可能になる。【００１９】  本発明の好ましい実施態様においては、前記押圧部材の外周面に、外周面と同心状に内部リブが設けられ、前記内部リブに、下方に向けて、前記水素封入袋の貫通可能な突起が設けられている。【００２０】  この本発明の好ましい実施態様によれば、押圧部材の外周面に、外周面と同心状に内部リブが設けられ、内部リブに、下方に向けて、水素封入袋の貫通可能な突起が設けられているから、消費者は押圧部材を軽く押圧するだけで水素封入袋に穿孔することができ、したがって、より容易に水素封入キャップから、飲料水に向けて、水素を放出させることが可能になる。【００２１】  本発明の好ましい実施態様においては、飲料容器用の水素封入キャップは、さらに、前��キャップ筒体の上端部に接続し、前記押圧部材の外表面を覆う帯状部材を備え、前記帯状部材と前記キャップ筒体の上端部との間の接続部が他の部分に比して、強度が低くなるように構成されている。【００２２】  本実施態様によれば、飲料容器用の水素封入キャップは、キャップ筒体の上端部に接続し、押圧部材の外表面を覆う帯状部材を備えているから、帯状部材を取り外さないと、押圧部材を押圧することができず、水素封入キャップの包装中や、搬送中、保存中などに、押圧部材が押圧されて、水素封入袋から水素が放出することを確実に防止することができる。【００２３】  また、本実施態様によれば、帯状部材とキャップ筒体の上端部との間の接続部が他の部分に比して、強度が低くなるように構成されているから、消費者は容易に帯状部材を取り外して、水素封入キャップから、飲料水に向けて、水素を放出させることが可能になる。【００２４】  本発明のさらに好ましい実施態様においては、前記帯状部材と前記キャップ筒体の上端部との間の接続部が肉薄部によって構成されている。【００２５】  本実施態様によれば、帯状部材とキャップ筒体の上端部との間の接続部が肉薄部によって構成されているから、消費者は、容易にかつ確実に、肉薄部に沿って、帯状部材を取り外すことができる。【００２６】  本発明の他の目的は、上述した水素封入キャップで封止した飲料容器を用いた飲料水によって達成することができる。【００２７】  上述した本発明の目的および特徴は、添付図面を引用した以下の説明から明らかになるであろう。
【発明の効果】
【００２８】  本発明によれば、キャップ本体の製作費が高くなるのを防止することができるとともに、水密性が向上させることができる飲料容器用の水素封入キャップを提供することが可能になる。
【図面の簡単な説明】
【００２９】
【図１】図１は、本発明の好ましい実施態様にかかる飲料容器の水素封入キャップの使用状態を示す略分解斜視図である。
【図２】図２は、本発明の好ましい実施態様にかかる飲料容器の水素封入キャップの略側断面図である。
【図３】図３は、本発明の好ましい実施態様にかかる飲料容器の水素封入キャップの押圧部材の構造を示す図面であり、図３（ａ）は押圧部材の略縦断面図、図３（ｂ）は押圧部材の略側面図、図３（ｃ）は押圧部材の略底面図である。
【図４】図４は、本発明の好ましい実施態様にかかる飲料容器の水素封入キャップのキャップ筒体の構造を示す図面であり、図４（ａ）はキャップ筒体の略平面図、図４（ｂ）はキャップ筒体の略縦断面図、図４（ｃ）はキャップ筒体の略側面図、図４（ｄ）はキャップ筒体の略底面図である。
【図５】図５は、水素封入キャップを使用するときのステップを示す水素封入キャップおよび飲料容器の略縦断面図である。図５（ａ）は、飲料容器に水素封入キャップを取り付ける前の状態を示す略縦断面図、図５（ｂ）は、飲料容器に水素封入キャップを取り付けた状態を示す略縦断面図、図５（ｃ）は、消費者が押圧部材を押圧し、水素封入袋から水素が放出された状態を示す略縦断面図である。
【図６】図６は、本発明の別の好ましい実施態様にかかる水素封入キャップの略縦断面図である。
【図７】図７は、本発明の他の実施態様にかかる水素封入キャップの略縦断面図である。
【図８】図８は、本発明のさらに好ましい実施態様にかかる水素封入キャップの略縦断面図である。
【図９】図９は、図６に示された水素封入キャップの下方規制板の詳細を示す図面である。ここに、図９（ａ）は略縦断面図であり、図９（ｂ）は下方規制板を斜め上方から見た略斜視図である。
【図１０】図１０は、本発明のさらに好ましい実施態様にかかる水素封入キャップの略側面図である。
【図１１】図１１は、図１０に示された水素封入キャップの略縦断面図である。
【図１２】図１２は、帯状部材が取り外された状態を示す図１０に示された水素封入キャップの略縦断面図である。
【図１３】図１３は、押圧部材が押圧されている状態を示す図１０に示された水素封入キャップの略縦断面図である。
【図１４】図１４は、本発明のさらに他の好ましい実施態様にかかる水素封入キャップに用いられる押圧部材の略斜視図である。
【発明を実施するための形態】
【００３０】  以下、添付図面を参照しつつ、本発明の好ましい実施態様につき、詳細に説明を加える。
【００３１】  本明細書において、飲料容器のキャップの「上下」という表現は、飲料容器を起立させた状態で使用する場合を基準としている。
【００３２】  図１は、本発明の好ましい実施態様にかかる飲料容器の水素封入キャップの使用状態を示す略分解斜視図であり、図２は、本発明の好ましい実施態様にかかる飲料容器の水素封入キャップの略側断面図である。
【００３３】  図１に示されるように、水素封入キャップ３を備えた飲料容器１に収容された飲料水を購入した消費者が、飲料水を飲むにあたっては、消費者によって飲料容器１のキャップ２を取り外される。ここに、飲料容器１はポリエチレンテレフタレートなどのプラスチックによって作られており、飲料容器１の典型的な例としては、５００ｍｌのペットボトルが挙げられる。
【００３４】  図１および図２に示されるように、キャップ２が取り外された後、消費者によって、水素封入キャップ３が、飲料容器１の飲料容器口１ａにある雄ねじ部１ｂを利用して、飲料容器１に取り付けられる。
【００３５】  図２に示されるように、水素封入キャップ３は、飲料容器１の飲料容器口１ａに形成された雄ねじ部１ｂと嵌合可能な雌ねじ部１２が下部に設けられたキャップ筒体１０と、キャップ筒体１０の内部に収容された水素封入袋３０と、水素封入袋３０を上方から押圧可能な押圧部材２０を備えている。
【００３６】  キャップ筒体１０は、その外径がペットボトルのキャップ２の外径とほぼ同じで、たとえば、３ｃｍの外径を有し、たとえば、６ｃｍの高さを有している。
【００３７】  キャップ筒体１０は、硬質プラスチック製の筒本体１１を有しており、その下部には雌ねじ部１２が形成されている。また、雌ねじ部１２の上方の筒本体１１には、竹の節のような下方規制板１３が設けられている。
【００３８】  この下方規制板１３は、消費者の意図に反して、水素封入袋３０が飲料容器１に向けて下がり、飲料容器口１ａと水素封入袋３０とが接触することを防止する役割を果たすものである。
【００３９】  下方規制板１３の下面には、飲料容器口１ａの上端面に接する水密片１４が設けられている。
【００４０】  水密片１４はパッキングであり、筒本体１１よりも柔らかく、例えばキャップ２の内部のパッキング（図示せず）と同等の硬さのプラスチックによって作られており、消費者が水素封入キャップ３を飲料容器１にねじ込んで、取付けると、飲料容器口１ａの上端面と接触して変形し、水密片１４の内外で水密性を保つように構成されている。
【００４１】  下方規制板１３の中央部には、直径が約１ｃｍの通過孔１５が設けられており、この通過孔１５によって、水素封入袋３０が収納されているキャップ筒体１０の内部と、飲料容器１の内部とが連通し、水素封入袋３０から水素が放出されたときに、放出された水素が飲料容器１内の飲料水に溶け込むことが可能になる。
【００４２】  図２に示されるように、下方規制板１３は、通過孔１５に向かって、下方に傾斜するように設けられている。下方規制板１３の傾斜角度は、水平面に対して、たとえば、３０度に設けられ、このように、下方規制板１３を設けることによって、飲料容器１から、通過孔１５を通じて、キャップ筒体１０内部に流入した飲料水を、よどみなく飲料容器１内に戻すことが可能になる。
【００４３】  上述のように、水素封入袋３０は、キャップ筒体１０の内部に収納されている。水素が透過しないようにするために、水素封入袋３０は、プラスチックフィルムにアルミを蒸着した材料によって作られており、市販の水素発生器により発生させた水素が封入されるように構成されている。水素封入袋３０の内容積は、水素封入袋３０に封入された水素が飲料容器１内の飲料水に完全に溶け込むことができる程度の大きさであることを要し、飲料容器１が５００ｍｌの場合には、水素封入袋３０は約３０ｍｌの内容積を有していることが好ましい。
【００４４】  水素封入袋３０の形状は略円柱形状であることが好ましく、水素封入袋３０の外径は筒本体１１の内径よりも多少大きく、水素封入袋３０は水素封入キャップ３の外部で水素を封入した後、指でキャップ筒体１０に挿入される。
【００４５】  本実施態様においては、押圧部材２０により、水素封入袋３０をキャップ筒体１０の下方規制板１３に向けて押圧することによって、水素封入袋３０の一部が破断し、水素が放出可能なように、水素封入袋３０の厚さが決定されている。また、水素封入袋３０の一部の厚さのみを薄くして、水素封入袋３０がその部分で破断して、水素が放出するようにすることもできる。この場合、水素封入袋３０が破断する部分は、水素封入袋３０の下部にあることが望ましい。
【００４６】  押圧部材２０は、キャップ筒体１０の上方に配置され、消費者がこの押圧部材２０を上方から押圧することによって、キャップ筒体１０内部にある水素封入袋３０を上方から圧潰することができるように構成されている。すなわち、押圧部材２０は、上方からキャップ筒体１０の筒本体１１に嵌入され、キャップ筒体１０の上方に配置された後、消費者が押圧部材２０を上方から押すと、そのままの姿勢を維持したまま、滑らかに下方に移動して、下方規制板１３に向けて押圧されるように構成されている。ここに、押圧部材２０の外周と、筒本体１１の内周とは水密を確保するようにすることが必要である。図２に示されるように、押圧部材２０はキャップ筒体１０の上端部よりも上方に突出している。これにより、消費者は容易に押圧部材２０に力を作用させることができる。水素封入キャップ３の搬送中などに、押圧部材２０が誤って押圧され、水素が放出されることを防止するため、押圧部材２０は、その上面がキャップ筒体１０の上端部の下方に位置するように配置することもできる。
【００４７】  図３は、本発明の好ましい実施態様にかかる飲料容器１の水素封入キャップ３の押圧部材２０の構造を示す図面であり、図３（ａ）は押圧部材２０の略縦断面図、図３（ｂ）は押圧部材２０の略側面図、図３（ｃ）は押圧部材２０の略底面図である。
【００４８】  図３に示されるように、押圧部材２０は、ペットボトルのキャップ２をより扁平にした形状を有する押圧部材本体２１に、押圧部材本体２１の外周面と同心状に、二つの内部リブ２４が設けられており、それによって、所望の剛性が確保されている。
【００４９】  図３に示されるように、押圧部材本体２１の外周面の下部には、係合部２３が設けられ、キャップ筒体１０との間の水密性が確保されている。係合部２３の上には、４つの側部突起２２が設けられており、側部突起２２は、水素封入キャップ３を製造する段階で、キャップ筒体１０に押圧部材２０を嵌入する際、押圧部材２０がキャップ筒体１０に深く入り過ぎて、水素封入袋３０を破断することを防止する機能を有している。
【００５０】  図４は、本発明の好ましい実施態様にかかる飲料容器１の水素封入キャップ３のキャップ筒体１０の構造を示す図面であり、図４（ａ）はキャップ筒体１０の略平面図、図４（ｂ）はキャップ筒体１０の略縦断面図、図４（ｃ）はキャップ筒体１０の略側面図、図４（ｄ）はキャップ筒体１０の略底面図である。
【００５１】  キャップ筒体１０は、下部に雌ねじ部１２が形成された筒本体１１を備え、筒本体１１には、竹の節のような形状を有し、中央部に通過孔１５が形成された下方規制板１３が設けられている。図４に示されるように、下方規制板１３の下面には、飲料容器口１ａの上端面に接し、パッキングとして機能する水密片１４が設けられている。
【００５２】  以上のように構成された本発明の好ましい実施態様にかかる水素封入キャップ３は、以下のように使用される。
【００５３】  図５は、水素封入キャップ３を使用するときのステップを示す水素封入キャップ３および飲料容器１の略縦断面図である。図５（ａ）は、飲料容器１に水素封入キャップ３を取り付ける前の状態を示す略縦断面図、図５（ｂ）は、飲料容器１に水素封入キャップ３を取り付けた状態を示す略縦断面図、図５（ｃ）は、消費者が押圧部材２０を押圧し、水素封入袋３０から水素が放出された状態を示す略縦断面図である。
【００５４】  まず、消費者によって購入された飲料水を収容した５００ｍｌのペットボトルなどの飲料容器１のキャップ２（図５には図示されていない。）が取り外される。
【００５５】  次いで、図５（ａ）の矢印に示されるように、飲料容器１の飲料容器口１ａに、水素封入キャップ３が取り付けられる。すなわち、キャップ筒体１０の雌ねじ部１２に、水素封入キャップ３の雄ねじ部１ｂが螺合される。ここに、飲料容器１の飲料容器口１ａに形成された雄ねじ部１ｂのねじピッチなどは、飲料メーカや、水、お茶、ジュースなどの飲料によって多少異なっているが、飲料容器１はポリエチレンテレフタレートなどのプラスチックによって作られているので、キャップ筒体１０の雌ねじ部１２のピッチと飲料容器１の飲料容器口１ａに形成された雄ねじ部１ｂのピッチなどが多少異なっていても、水素封入キャップ３の雄ねじ部１ｂをキャップ筒体１０の雌ねじ部１２に螺合させることができる。
【００５６】  飲料容器１の飲料容器口１ａに、水素封入キャップ３がさらにねじ込まれると、図５（ｂ）に示されるように、水密片１４（図５には図示されていない）が料容器口１ａの上端面に接触し、通常のキャップ２を閉める程度の強さで水素封入キャップ３がさらにねじ込まれると、水密片１４が変形し、水密片１４によって、飲料容器１が水密状態になる。飲料メーカや、水、お茶、ジュースなどの飲料によって、飲料容器口１ａの外径、内径には多少異なっているが、このように、水素封入キャップ３の水密片１４が、飲料容器口１ａの上端部に接触されているので、容易に、飲料容器１を水密状態にすることができる。
【００５７】  このように、水素封入キャップ３の水密片１４が、飲料容器口１ａの上端部に接触すると、消費者によって、水素封入キャップ３の押圧部材２０が押し下げられ、押圧部材２０によって、水素封入袋３０がキャップ筒体１０の下方規制板１３に向けて押圧される。その結果、水素封入袋３０の一部が破断し、水素封入袋３０から水素が放出される。この際、押圧部材本体２１の外周面の下部に設けられた係合部２３によって、押圧部材２０とキャップ筒体１０との間を通過して、外部に放出する水素量を少なくすることができる。
【００５８】  その後、消費者によって、飲料容器１がひっくり返されたり、振ったりされて、飲料容器１内に放出された水素が飲料水に溶解される。飲料水への水素の溶解後、水素封入キャップ３を飲料容器１から取り外すことによって、消費者は水素が溶存した飲料水を摂取することができる。水素封入キャップ３が飲料容器１から取り外される際、下方規制板１３が通過孔１５に向かって、下方に傾斜するように設けられているから、飲料水が下方規制板１３の上面に残存することがなく、したがって、水素封入キャップ３内に残った飲料水により、消費者が手などを汚すことがない。時間が経過すると、飲料水に溶解した水素が溶け出すおそれがあるので、飲料水はできるだけ早め（遅くとも１日以内程度）に摂取することが好ましい。図５においては、飲料水を収容する飲料容器１とは別に、水素封入キャップ３が販売されており、消費者が別途、水素封入キャップ３を購入して、飲料容器１に取り付ける場合につき、説明を加えたが、出荷前にメーカが、飲料容器１に水素封入キャップ３を取り付け、その状態で販売する場合には、消費者は、飲料水を収容した飲料容器１を購入した後、押圧部材２０を押すだけで、水素を飲料容器１内に収容された飲料水に溶解させることができる。
【００５９】  本実施態様によれば、キャップ筒体１０の内部に水素封入袋３０を収容させることにより、キャップ筒体１０に気体透過を防止する加工を行ったり、キャップ筒体１０に気体透過をしない材料を使用したりする必要がなくなり、コストを抑えることができる。
【００６０】  また、本実施態様によれば、水素封入袋３０を上方から押圧する押圧部材２０が備えられているから、飲料容器１のねじを用いたり、キャップ筒体１０を変形させて、押圧したりする必要がなくなり、適切に水素封入袋３０を押圧することができる。
【００６１】  さらに、本実施態様によれば、下方規制板１３に、飲料容器口１ａの上端面に接する水密片１４が設けられているから、水密片１４によって、飲料容器１が水密状態になり、したがって、水素を溶解させるために、消費者が飲料容器１をひっくり返したり、振ったりしても、内部の飲料水が外部に漏れ出ることを効果的に防止することが可能になる。
【００６２】  また、本実施態様によれば、下方規制板１３は、その中央部に設けた通過孔１５に向かって、下方に傾斜するように設けられているから、消費者が飲料容器１をひっくり返した際に、水素封入キャップ３側に入った飲料水を、飲料容器１側によどみなく戻すことが可能になる。
【００６３】  図６は、本発明の別の好ましい実施態様にかかる水素封入キャップの略縦断面図であり、図９は、図６に示された水素封入キャップの下方規制板の詳細を示す図面である。ここに、図９（ａ）は略縦断面図であり、図９（ｂ）は下方規制板を斜め上方から見た略斜視図である。
【００６４】  図１ないし図５に示された水素封入キャップ３と同じ部品ないし同じ部分には同じ番号を付し、説明を省略する。
【００６５】  図６および図９に示されるように、本実施態様においては、下方規制板１３の上面に、水素封入袋３０を突き破る突起１６が設けられており、突起１６は、通過孔１５の周囲を囲むように、９０度ごとに４か所に設けられている。
【００６６】  このように、本実施態様においては、下方規制板１３の上面に、４つの突起１６が設けられているから、押圧部材２０を軽く押圧するだけで、水素封入袋３０に孔を形成することができ、消費者が水素を飲料容器１内に収容された飲料水に溶け込ませるために、より容易に水素封入キャップ３を取り扱うことが可能になる。飲料容器１の容量が大きいときには、水素封入袋３０を構成するシート厚を厚くして、水素封入袋３０に封入された水素の圧力を上げ、水素封入量を増やす必要がある場合があるが、本実施態様によれば、下方規制板１３の上面に、４つの突起１６が設けられているから、そのような場合においても、所望のように、水素封入袋３０に孔を形成して、水素を放出させることができる。
【００６７】  図７は、本発明の他の実施態様にかかる水素封入キャップの略縦断面図である。
【００６８】  図１ないし図５に示された水素封入キャップ３と同じ部品ないし同じ部分には同じ番号を付し、説明を省略する。
【００６９】  図７に示されるように、本実施態様においては、押圧部材２０の内部リブ２４に、下方に向いた複数の突起１６が設けられている。
【００７０】  このように、本実施態様においては、押圧部材２０の内部リブ２４に、下方に向いた複数の突起１６が設けられているから、押圧部材２０を軽く押圧するだけで、水素封入袋３０に孔を形成することができ、消費者が水素を飲料容器１内に収容された飲料水に溶け込ませるために、より容易に水素封入キャップ３を取り扱うことが可能になる。
【００７１】  飲料容器１の容量が大きいときには、水素封入袋３０を構成するシート厚を厚くして、水素封入袋３０に封入された水素の圧力を上げ、水素封入量を増やす必要がある場合があるが、本実施態様によれば、押圧部材２０の内部リブ２４に、下方に向いた複数の突起１６が設けられているから、そのような場合においても、所望のように、水素封入袋３０に孔を形成して、水素を放出させることができる。
【００７２】  図８は、本発明のさらに好ましい実施態様にかかる水素封入キャップの略縦断面図である。
【００７３】  図１ないし図５に示された水素封入キャップ３と同じ部品ないし部分には同じ番号を付し、説明を省略する。
【００７４】  図８に示されるように、本実施態様においては、押圧部材２０の押圧部材本体２１の上面２５が側方に向かって突出している。
【００７５】  このように、押圧部材２０の押圧部材本体２１の上面２５を側方に向かって突出させることによって、必要以上に、消費者が押圧部材２０をキャップ筒体１０の内部に押し込むことを防止することができるので、押圧部材２０をキャップ筒体１０から取り外し、使用済みの水素封入袋３０を取り出して、新たに水素を充てんした水素封入袋３０を嵌入することで、水素封入キャップ３を構成するキャップ筒体１０と押圧部材２０とを数回にわたって使用することが可能となる。
【００７６】  図１０は、本発明のさらに好ましい実施態様にかかる水素封入キャップ３の略側面図であり、図１１は、その略縦断面図である。
【００７７】  図１０および図１１に示されるように、本実施態様にかかる水素封入キャップ３は、押圧部材２０の外周面に帯状部材４０が設けられている。
【００７８】  図１１に示されるように、帯状部材４０は、押圧部材２０の長さ方向の約１／２の外周面を覆っており、肉薄部４１を介して、筒本体１１の上端部に接続されている。また、帯状部材４０は押圧部材２０の外周面を完全には覆っておらず、帯状部材４０の両端部４２、４３の間には、間隙が形成されている。帯状部材４０の両端部４２、４３は、消費者によって把持される把持部として機能する。本実施態様においては、帯状部材４０の表面と筒本体１１の表面とは面一になっており、帯状部材４０を押圧部材２０の外表面から取り外さないと、押圧部材２０を押圧することができないように構成されている。
【００７９】  また、図６および図９に示された実施態様と同様に、下方規制板１３（図１１には図示されていない。）の上面には、図１１に示されるように、突起１６が設けられている。図１１においては、２つの突起１６のみが図示されているが、図６および図９に示された実施態様と同様に、下方規制板１３の上面には合計で４つの突起１６が形成されている。
【００８０】  帯状部材４０は、人為的に押圧部材２０の外表面から取り外すことはできるが、水素封入キャップ３の包装中や、搬送中、保存中などに、押圧部材２０が押圧されることがない程度の強度で、押圧部材２０の外表面に固定されている。
【００８１】  したがって、水素封入キャップ３に封入された水素を飲料容器１内に収容された飲料水に溶解させるにあたっては、まず、消費者によって購入された飲料水を収容した５００ｍｌのペットボトルなどの飲料容器１のキャップ２が取り外される。
【００８２】  次いで、図５（ａ）の矢印に示されるのと同様に、飲料容器１の飲料容器口１ａのキャップ筒体１０の雄ねじ部１ｂに、水素封入キャップ３の雌ねじ部１２が螺合されて、水素封入キャップ３が飲料容器１の飲料容器口１ａに取り付けられる。
【００８３】  飲料容器１の飲料容器口１ａに、水素封入キャップ３がさらにねじ込まれると、前記実施態様と同様にして、水密片１４が飲料容器口１ａの上端面に接触し、通常のキャップ２を閉める程度の強さで水素封入キャップ３がさらにねじ込まれると、水密片１４が変形し、水密片１４によって、飲料容器１が水密状態になる。
【００８４】  このように、水素封入キャップ３の水密片１４が、飲料容器口１ａの上端部に接触すると、消費者によって、帯状部材４０の両端部４２、４３の一方が把持されて、帯状部材４０が取り外される。ここに、帯状部材４０と筒本体１１との間には肉薄部４１が形成されているので、消費者は、容易に、かつ、確実に、帯状部材４０を押圧部材２０の外表面から取り外すことが可能になる。
【００８５】  図１２は、帯状部材４０が取り外された後の状態を示す水素封入キャップ３の略側面図である。
【００８６】  図１２に示されるように、帯状部材４０が取り外された後の水素封入キャップ３においては、押圧部材２０を押圧することができる状態になっている。
【００８７】  図１３は、消費者によって、押圧部材２０が押圧された状態を示す水素封入キャップ３の略側面図である。
【００８８】  図１３に示されるように、本実施態様においては、下方規制板１３の上面に、水素封入袋３０を突き破る突起１６が、通過孔１５の周囲を囲むように、９０度ごとに４か所に設けられているから、下方規制板１３の上面に形成された突起１６によって、水素封入袋３０に孔が穿孔され、穿孔された孔から、水素が飲料容器口１ａを通って、飲料容器１内に収容された飲料水に向かって放出される。
【００８９】  その後、消費者によって、飲料容器１がひっくり返されたり、振ったりされて、飲料容器１内に放出された水素が飲料水に溶解される。
【００９０】  本実施態様によれば、押圧部材２０の外周面に、帯状部材４０が固定されており、帯状部材４０を取り外さないと、押圧部材２０を押圧することができないように構成され、さらに、帯状部材４０は、人為的に取り外すことができるが、水素封入キャップ３の包装中や、搬送中、保存中などに、押圧部材２０が押圧されることがないような強度で、押圧部材２０の外周面に固定されているから、水素封入キャップ３の包装中や、搬送中、保存中などに、押圧部材２０が押圧されて、水素封入袋３０から水素が放出することを確実に防止することができる。
【００９１】  図１４は、本発明のさらに他の好ましい実施態様にかかる水素封入キャップ３に用いられる押圧部材２０の略斜視図である。
【００９２】  図１４に示されるように、本実施態様においては、押圧部材２０の外周面に、複数の環状リブ５０が形成されている。したがって、押圧部材２０の強度が向上されている。
【００９３】  本発明は、以上の実施態様に限定されることなく、請求の範囲に記載された発明の範囲内で種々の変更が可能であり、それらも本発明の範囲内に包含されるものであることはいうまでもない。
【００９４】  たとえば、前記実施態様においては、水素を封入した水素封入キャップ３について説明を加えたが、キャップ筒体１０内部の袋体には水素以外に、オゾンなどの気体や、飲料水に付加する液体を封入することもできる。
【００９５】  また、前記実施態様においては、水素封入袋３０の材料として、プラスチックフィルムにアルミ蒸着したものを用いているが、プラスチックフィルムにアルミ蒸着したものに代えて、プラスチックケースを用いることもできる。
【００９６】  さらに、前記実施態様においては、押圧部材２０とキャップ筒体１０とを別部品により構成しているが、押圧部材２０をキャップ筒体１０とを蛇腹形状の筒体で結合して、一体的に形成するようにしてもよい。このように構成した場合には、消費者が、押圧部材２０を上方から押圧すると、蛇腹形状の筒体が下方に圧縮され、押圧部材２０の下面で水素封入袋３０が押圧される。
【００９７】  さらに、図１０ないし１３に示された実施態様においては、帯状部材４０は、肉薄部４１を介して、筒本体１１の上端部に接続されているが、帯状部材４０を筒本体１１と一体的に形成し、肉薄部４１に相当する位置に、ミシン目など、強度の低い部分を形成するようにしてもよく、肉薄部４１を介して、帯状部材４０を筒本体１１の上端部に接続することは必ずしも必要でない。
【００９８】  また、図１０ないし１３に示された実施態様においては、帯状部材４０は押圧部材２０の外周面を完全には覆っておらず、帯状部材４０の両端部４２、４３の間には、間隙が形成されており、帯状部材４０の両端部４２、４３が、消費者によって把持される把持部として機能するように構成されているが、帯状部材４０を押圧部材２０の外周面を完全に覆い、両端部４２、４３が重なり合うように設け、押圧部材２０の上側の端部４２、４３を消費者が把持する把持部として用いるようにすることもでき、帯状部材４０を両端部４２、４３の間に、間隙が形成されるように設けることは必ずしも必要でない。
【符号の説明】
【００９９】１  飲料容器１ａ  飲料容器口１ｂ  雄ねじ部２  キャップ３  水素封入キャップ１０  キャップ筒体１１  筒本体１２  雌ねじ部１３  下方規制板１４  水密片１５  通過孔１６  突起２０  押圧部材２１  押圧部材本体２２  側部突起２３  係合部２４  内部リブ２５  押圧部材の上面３０  水素封入袋４０  帯状部材４１  肉薄部４２、４３  帯状部材の端部５０  環状リブ 
【図１】
2014163007.tif 000003
【図２】
2014163007.tif 000004
【図３】
2014163007.tif 000005
【図４】
2014163007.tif 000006
【図５】
2014163007.tif 000007
【図６】
2014163007.tif 000008
【図７】
2014163007.tif 000009
【図８】
2014163007.tif 000010
【図９】
2014163007.tif 000011
【図１０】
2014163007.tif 000012
【図１１】
2014163007.tif 000013
【図１２】
2014163007.tif 000014
【図１３】
2014163007.tif 000015
【図１４】
2014163007.tif 000016
【手続補正書】
【提出日】平成26年9月3日(2014.9.3)
【手続補正１】
【補正対象書類名】明細書
【補正対象項目名】０００５
【補正方法】変更
【補正の内容】
【０００５】
［００２７］
上述した本発明の目的および特徴は、添付図面を引用した以下の説明から明らかになるであろう。
発明の効果
［００２８］
本発明によれば、キャップ本体の製作費が高くなるのを防止することができるとともに、水密性が向上させることができる飲料容器用の水素封入キャップを提供することが可能になる。
図面の簡単な説明
［００２９］
［図１］図１は、本発明の好ましい実施態様にかかる飲料容器の水素封入キャップの使用状態を示す略分解斜視図である。
［図２］図２は、本発明の好ましい実施態様にかかる飲料容器の水素封入キャップの略側断面図である。
［図３］図３は、本発明の好ましい実施態様にかかる飲料容器の水素封入キャップの押圧部材の構造を示す図面であり、図３（ａ）は押圧部材の略縦断面図、図３（ｂ）は押圧部材の略側面図、図３（ｃ）は押圧部材の略底面図である。
［図４］図４は、本発明の好ましい実施態様にかかる飲料容器の水素封入キャップのキャップ筒体の構造を示す図面であり、図４（ａ）はキャップ筒体の略平面図、図４（ｂ）はキャップ筒体の略縦断面図、図４（ｃ）はキャップ筒体の略側面図、図４（ｄ）はキャップ筒体の略底面図である。
［図５］図５は、水素封入キャップを使用するときのステップを示す水素封入キャップおよび飲料容器の略縦断面図である。図５（ａ）は、飲料容器に水素封入キャップを取り付ける前の状態を示す略縦断面図、図５（ｂ）は、飲料容器に水素封入キャップを取り付けた状態を示す略縦断面図、図５（ｃ）は、消費者が押圧部材を押圧し、水素封入袋から水素が放出された状態を示す略縦断面図である。
［図６］図６は、本発明の別の好ましい実施態様にかかる水素封入キャップの略縦断面図である。
［図７］図７は、本発明の他の好ましい実施態様にかかる水素封入キャップの略
【手続補正２】
【補正対象書類名】明細書
【補正対象項目名】０００６
【補正方法】変更
【補正の内容】
【０００６】
縦断面図である。
［図８］図８は、本発明のさらに他の好ましい実施態様にかかる水素封入キャップの略縦断面図である。
［図９］図９は、図６に示された本発明の別の好ましい実施態様にかかる水素封入キャップを示すもので、図９（ａ）は下方規制板近傍の略縦断面図であり、図９（ｂ）は下方規制板を斜め上方から見た略斜視図である。
［図１０］図１０は、本発明のさらに好ましい実施態様にかかる水素封入キャップの略側面図である。
［図１１］図１１は、図１０に示された水素封入キャップの略縦断面図である。
［図１２］図１２は、帯状部材が取り外された状態を示す図１０に示された水素封入キャップの略縦断面図である。
［図１３］図１３は、押圧部材が押圧されている状態を示す図１０に示された水素封入キャップの略縦断面図である。
［図１４］図１４は、本発明のさらに他の好ましい実施態様にかかる水素封入キャップに用いられる押圧部材の略斜視図である。
発明を実施するための形態
［００３０］
以下、添付図面を参照しつつ、本発明の好ましい実施態様につき、詳細に説明を加える。
［００３１］
本明細書において、飲料容器のキャップの「上下」という表現は、飲料容器を起立させた状態で使用する場合を基準としている。
［００３２］
図１は、本発明の好ましい実施態様にかかる飲料容器の水素封入キャップの使用状態を示す略分解斜視図であり、図２は、本発明の好ましい実施態様にかかる飲料容器の水素封入キャップの略側断面図である。
［００３３］
図１に示されるように、水素封入キャップ３を備えた飲料容器１に収容された飲料水を購入した消費者が、飲料水を飲むにあたっては、消費者によって飲料容器１のキャップ２を取り外される。ここに、飲料容器１はポリエチレンテレフタレートなどのプラスチックによって作られており、飲料容器１の典型的な例としては、５００ｍｌのペットボトルが挙げられる。
【手続補正３】
【補正対象書類名】明細書
【補正対象項目名】００１２
【補正方法】変更
【補正の内容】
【００１２】
３が販売されており、消費者が別途、水素封入キャップ３を購入して、飲料容器１に取り付ける場合につき、説明を加えたが、出荷前にメーカが、飲料容器１に水素封入キャップ３を取り付け、その状態で販売する場合には、消費者は、飲料水を収容した飲料容器１を購入した後、押圧部材２０を押すだけで、水素を飲料容器１内に収容された飲料水に溶解させることができる。
［００５９］
本実施態様によれば、キャップ筒体１０の内部に水素封入袋３０を収容させることにより、キャップ筒体１０に気体透過を防止する加工を行ったり、キャップ筒体１０に気体透過をしない材料を使用したりする必要がなくなり、コストを抑えることができる。
［００６０］
また、本実施態様によれば、水素封入袋３０を上方から押圧する押圧部材２０が備えられているから、飲料容器１のねじを用いたり、キャップ筒体１０を変形させて、押圧したりする必要がなくなり、適切に水素封入袋３０を押圧することができる。
［００６１］
さらに、本実施態様によれば、下方規制板１３に、飲料容器口１ａの上端面に接する水密片１４が設けられているから、水密片１４によって、飲料容器１が水密状態になり、したがって、水素を溶解させるために、消費者が飲料容器１をひっくり返したり、振ったりしても、内部の飲料水が外部に漏れ出ることを効果的に防止することが可能になる。
［００６２］
また、本実施態様によれば、下方規制板１３は、その中央部に設けた通過孔１５に向かって、下方に傾斜するように設けられているから、消費者が飲料容器１をひっくり返した際に、水素封入キャップ３側に入った飲料水を、飲料容器１側によどみなく戻すことが可能になる。
［００６３］
図６は、本発明の別の好ましい実施態様にかかる水素封入キャップの略縦断面図を示すもので、図９（ａ）は図６に示された水素封入キャップの下方規制板近傍の略縦断面図であり、図９（ｂ）は図６に示された水素封入キャップの下方規制板を斜め上方から見た略斜視図である。
［００６４］
図１ないし図５に示された水素封入キャップ３と同じ部品ないし同じ部分には同じ番号を付し、説明を省略する。
【手続補正４】
【補正対象書類名】明細書
【補正対象項目名】００１３
【補正方法】変更
【補正の内容】
【００１３】
［００６５］
図６および図９に示されるように、本実施態様においては、下方規制板１３の上面に、水素封入袋３０を突き破る突起１６が設けられており、突起１６は、通過孔１５の周囲を囲むように、９０度ごとに４か所に設けられている。
［００６６］
このように、本実施態様においては、下方規制板１３の上面に、４つの突起１６が設けられているから、押圧部材２０を軽く押圧するだけで、水素封入袋３０に孔を形成することができ、消費者が水素を飲料容器１内に収容された飲料水に溶け込ませるために、より容易に水素封入キャップ３を取り扱うことが可能になる。飲料容器１の容量が大きいときには、水素封入袋３０を構成するシート厚を厚くして、水素封入袋３０に封入された水素の圧力を上げ、水素封入量を増やす必要がある場合があるが、本実施態様によれば、下方規制板１３の上面に、４つの突起１６が設けられているから、そのような場合においても、所望のように、水素封入袋３０に孔を形成して、水素を放出させることができる。
［００６７］
図７は、本発明の他の好ましい実施態様にかかる水素封入キャップの略縦断面図である。
［００６８］
図１ないし図５に示された水素封入キャップ３と同じ部品ないし同じ部分には同じ番号を付し、説明を省略する。
［００６９］
図７に示されるように、本実施態様においては、押圧部材２０の内部リブ２４に、下方に向いた複数の突起１６が設けられている。
［００７０］
このように、本実施態様においては、押圧部材２０の内部リブ２４に、下方に向いた複数の突起１６が設けられているから、押圧部材２０を軽く押圧するだけで、水素封入袋３０に孔を形成することができ、消費者が水素を飲料容器１内に収容された飲料水に溶け込ませるために、より容易に水素封入キャップ３を取り扱うことが可能になる。
［００７１］
飲料容器１の容量が大きいときには、水素封入袋３０を構成するシート厚を厚くして、水素封入袋３０に封入された水素の圧力を上げ、水素封入量を増やす必要がある場合があるが、本実施態様によれば、押圧部材２０の内部
【手続補正５】
【補正対象書類名】図面
【補正対象項目名】図６
【補正方法】変更
【補正の内容】
【図６】
2014163007.tif 000017
【手続補正６】
【補正対象書類名】図面
【補正対象項目名】図７
【補正方法】変更
【補正の内容】
【図７】
2014163007.tif 000018
【国際調査報告】
2014163007.tif 000019
2014163007.tif 000020
2014163007.tif 000021
2014163007.tif 000022